(57)【特許請求の範囲】
【請求項１】
露光用の開口部に対する開放位置と閉鎖位置との間を移動可能に配されお互いに離隔及び近接することにより前記開口部を開放及び閉鎖する２枚のシャッタ羽根と、前記開口部に対する絞り位置と待避位置との間を移動可能に配されお互いに近接することにより前記開口部を所定の口径に絞る２枚の絞り羽根と、前記シャッタ羽根及び絞り羽根を駆動制御する駆動制御機構とを備え、前記駆動制御機構により、前記絞り羽根に絞り動作を行なわせると共に前記シャッタ羽根に開閉動作を行なわせる絞り機構付シャッタ装置であって、
前記駆動制御機構は、単一の電磁駆動源と、前記電磁駆動源と前記シャッタ羽根及び絞り羽根との間に介在して駆動力を伝えると共に前記電磁駆動源の一方向への回転により前記開口部の全開状態から絞り状態を経て全閉状態に至らせる揺動自在な駆動レバーと、前記シャッタ羽根に設けられた孔にその一端が掛止されかつ前記絞り羽根に設けられた孔にその他端が掛止されて前記シャッタ羽根及び絞り羽根を連動させる連動用のバネと、絞り動作の際に前記絞り羽根を前記絞り位置にかつ前記シャッタ羽根を前記開放位置から移動した所定位置に位置付けるべく前記駆動レバーを保持する付勢力を及ぼす保持用のバネを有する、
ことを特徴とする絞り機構付シャッタ装置。
【請求項２】
前記電磁駆動源は、外部に駆動力を出力する出力ピンをもつと共に所定の角度範囲を回動するロータを備えた電磁アクチュエータからなり、
前記駆動レバーは、前記シャッタ羽根に形成された第１連結孔及び前記絞り羽根に形成された第２連結孔に挿入されて係合する駆動ピンと、揺動中心と前駆駆動ピンとの間に形成されて前記出力ピンが連結される連結孔と、を有する、
ことを特徴とする請求項１記載の絞り機構付シャッタ装置。
【請求項３】
前記第１連結孔は、前記駆動ピンが遊動し得る第１遊び代を有し、
前記第２連結孔は、前記駆動ピンが遊動し得ると共に前記第１遊び代よりも大きい第２遊び代を有する、
ことを特徴とする請求項２記載の絞り機構付シャッタ装置。
【請求項４】
前記保持用のバネは、前記絞り羽根が前記待避位置にかつ前記シャッタ羽根が前記開放位置にあるときに対応する位置に、前記駆動レバーを保持する付勢力を及ぼす、
ことを特徴とする請求項１ないし３いずれか一つに記載の絞り機構付シャッタ装置。
【請求項５】
前記保持用のバネは、前記絞り羽根が前記絞り位置にかつ前記シャッタ羽根が前記所定位置にあるときに対応する位置に前記駆動レバーが位置するときに変形エネルギが小さくなる第１の安定位置と、前記絞り羽根が前記待避位置にかつ前記シャッタ羽根が前記開放位置にあるときに対応する位置に前記駆動レバーが位置するときに変形エネルギが小さくなる第２の安定位置と、を有する、
ことを特徴とする請求項４記載の絞り機構付シャッタ装置。
【発明の詳細な説明】
【０００１】
【発明の属する技術分野】
本発明は、デジタルスチルカメラ等に搭載される絞り機構付シャッタ装置に関し、特に、露光用の開口部を開閉するシャッタ羽根と開口部の口径を絞る絞り羽根とを別々に独立して備えた絞り機構付シャッタ装置に関する。
【０００２】
【従来の技術】
露光用の開口部を開閉するシャッタ羽根及び開口部の絞りを行なう絞り羽根を別々に備えた絞り機構付シャッタ装置としては、例えば特開平１０−２２１７４０号公報に記載されたものが知られている。
この公報に開示の絞り機構付シャッタ装置は、露光用の開口部の外周領域において、開口部を開閉するように往復動自在に配置されたシャッタ羽根と、シャッタ羽根を駆動する第１の電磁駆動源と、開口部の絞り及びその解除を行なうように往復動自在に配置された絞り羽根と、絞り羽根を駆動する第２の電磁駆動源等を備えている。
【０００３】
そして、それぞれの電磁駆動源を起動させることにより、シャッタ羽根に開閉動作を行なわせ、絞り羽根に絞り動作を行なわせるようになっている。また、それぞれの電磁駆動源に対する非通電の状態で、開口部を開放する位置と閉鎖する位置とのそれぞれの位置にシャッタ羽根を保持すると共に、開口部を絞る位置と非絞りの待機位置とのそれぞれの位置に絞り羽根を保持するように構成されている。
【０００４】
【発明が解決しようとする課題】
ところで、上記従来の絞り機構付シャッタ装置においては、シャッタ羽根と絞り羽根とを駆動する駆動源としてそれぞれ別々の電磁駆動源を備えているため、複雑な連動機構等を用いることなくシャッタ羽根及び絞り羽根の駆動をそれぞれ別個に独立して行なうことができるものの、別々の電磁駆動源を備えるが故に、装置の大型化、重量化、高コスト化等を招き、又、電磁駆動源の個数に応じた消費電力の増加等を招くことになる。
また、絞り羽根等の駆動に際し、単に電磁駆動源を起動させて絞り羽根を移動させるだけでは、所定の絞り位置等に位置付ける際にバウンド現象等を招く場合があり、迅速な絞り動作を行なう際の応答性の面では好ましくない。
【０００５】
本発明は、上記従来技術の問題点に鑑みて成されたものであり、その目的とするところは、装置の複雑化を招くことなく、シャッタ羽根と絞り羽根とを連動させる構成を採用して、装置の小型化、軽量化、低コスト化等を図ると共に、シャッタ羽根及び絞り羽根に所望の機能を確実に行なわせることのできる絞り機構付シャッタ装置を提供することにある。
【０００６】
【課題を解決するための手段】
本発明の絞り機構付シャッタ装置は、露光用の開口部に対する開放位置と閉鎖位置との間を移動可能に配されお互いに離隔及び近接することにより開口部を開放及び閉鎖する２枚のシャッタ羽根と、開口部に対する絞り位置と待避位置との間を移動可能に配されお互いに近接することにより開口部を所定の口径に絞る２枚の絞り羽根と、シャッタ羽根及び絞り羽根を駆動制御する駆動制御機構とを備え、駆動制御機構により、絞り羽根に絞り動作を行なわせると共にシャッタ羽根に開閉動作を行なわせる絞り機構付シャッタ装置であって、上記駆動制御機構は、単一の電磁駆動源と、電磁駆動源とシャッタ羽根及び絞り羽根との間に介在して駆動力を伝えると共に電磁駆動源の一方向への回転により開口部の全開状態から絞り状態を経て全閉状態に至らせる揺動自在な駆動レバーと、シャッタ羽根に設けられた孔にその一端が掛止されかつ絞り羽根に設けられた孔にその他端が掛止されてシャッタ羽根及び絞り羽根を連動させる連動用のバネと、絞り動作の際に絞り羽根を絞り位置にかつシャッタ羽根を開放位置から移動した所定位置に位置付けるべく駆動レバーを保持する付勢力を及ぼす保持用のバネを有する、ことを特徴としている。
この構成によれば、単一の電磁駆動源の一方向への回転駆動力により、駆動レバーを一方向に回転させることで、シャッタ羽根及び絞り羽根を連動させつつ移動させて、開口部を全開する全開状態から絞り状態を経て開口部を全閉する全閉状態に移行させることができ、絞りを行なわない作動モードでは、２枚のシャッタ羽根を近付けて閉じ動作を行なわせることにより露光動作が行なわれ、又、絞りを行なう作動モードでは、保持用のバネにより駆動レバーを介して２枚の絞り羽根を近付けて絞り位置に保持することができ、その後、シャッタ羽根に閉じ動作を行なわせることにより絞り状態からの露光動作が行なわれる。
このように、シャッタ羽根及び絞り羽根を２枚の羽根により形成し、２枚の羽根の協働により開口部の開閉及び絞りを行なうようにすることで、１枚の場合に比べてシャッタ羽根及び絞り羽根が開口部から待避する際のスペースを狭くすることができ、装置の小型化が行なえる。
また、駆動レバーにより、電磁駆動源の駆動量（例えば作動角度）が増幅されてシャッタ羽根及び絞り羽根に伝達されるため、露光用の開口部の大口径化に対応でき、又、比較的駆動量の小さい小型の電磁駆動源を用いても、所望の露光動作及び絞り動作を行なわせることができる。
さらに、絞り動作の際に絞り羽根を絞り位置にかつシャッタ羽根を開放位置から移動した所定位置に位置付けるべく駆動レバーを保持する付勢力を及ぼす保持手段として保持用のバネを採用することにより、電磁駆動源に通電することなく絞り状態を維持することができるため、低消費電力化、構造の簡素化及び軽量化等を行なえる。
【０００８】
上記構成において、電磁駆動源は、外部に駆動力を出力する出力ピンをもつと共に所定の角度範囲を回動するロータを備えた電磁アクチュエータからなり、駆動レバーは、シャッタ羽根に形成された第１連結孔及び絞り羽根に形成された第２連結孔に挿入されて係合する駆動ピンと、揺動中心と駆動ピンとの間に形成されて出力ピンが連結される連結孔とを有する、構成を採用することができる。
この構成によれば、出力ピンが回動すると、連結孔を介してその駆動力が駆動レバーに伝達され、駆動レバーは揺動中心回りに揺動して、その駆動ピンが第１連結孔及び第２連結孔を介してシャッタ羽根及び絞り羽根を移動させる。
このように、簡略な構成により電磁駆動源の駆動量を増幅しつつ、電磁駆動源の出力ピンの移動方向と駆動レバーの駆動ピンの移動方向とを、露光用の開口部中心に向けた配置とすることができる。これにより、できるだけ構成部品を開口部に近付けた配置構成を採ることができ、開口部周りでの部品の集約化による装置の小型化を行なえる。
【０００９】
上記構成において、シャッタ羽根に形成された第１連結孔は、駆動ピンが遊動し得る第１遊び代を有し、絞り羽根に形成された第２連結孔は、駆動ピンが遊動し得ると共に第１遊び代よりも大きい第２遊び代を有する、構成を採用することができる。
この構成によれば、駆動ピンが作動してもシャッタ羽根及び絞り羽根が作動しない領域を設定することができる。すなわち、シャッタ羽根及び絞り羽根に完全な閉じ動作及び絞り動作を行なわせつつ、開口部から待避した領域における無駄な移動を規制して、待避時におけるスペースの幅狭化を行なうことができる。また、第２遊び代を第１遊び代よりも大きくすることで、駆動ピンによりシャッタ羽根と絞り羽根とが連動して駆動される構成において、シャッタ羽根に完全な閉じ動作を行なわせつつ絞り羽根を絞り位置に保持する機能を容易に形成することができる。
【００１１】
上記構成において、バネは、さらに、絞り羽根が待避位置にかつシャッタ羽根が開放位置にあるときに対応する位置に駆動レバーを保持する付勢力を及ぼす、構成を採用することができる。
この構成によれば、待機状態（休止状態）において、バネの付勢力により、シャッタ羽根及び絞り羽根が開放位置及び待避位置に保持されることになり、装置の低消費電力化、簡略化及び軽量化等を行なえる。
【００１２】
上記構成において、バネは、絞り羽根が絞り位置にかつシャッタ羽根が所定位置にあるときに対応する位置に駆動レバーが位置するときに変形エネルギが小さくなる第１の安定位置と、絞り羽根が待避位置にかつシャッタ羽根が開放位置にあるときに対応する位置に駆動レバーが位置するときに変形エネルギが小さくなる第２の安定位置とを有する、構成を採用することができる。
この構成によれば、一つのバネにより、シャッタ羽根及び絞り羽根が、待機状態と絞り状態に保持されることになり、より一層の装置の簡略化、軽量化、低コスト化等を行なえる。
【００１３】
【発明の実施の形態】
以下、本発明の実施の形態について、添付図面を参照しつつ説明する。
図１ないし図１５は、本発明に係る絞り機構付シャッタ装置の一実施形態を示すものである。尚、説明の便宜上、図５、図９及び図１３にはシャッタ羽根のみを示し、図６、図１０及び図１４には絞り羽根のみを示し、図７、図１１及び図１５においては点線で示すべきところを実線にて示している。
この実施形態に係る絞り機構付シャッタ装置は、図１ないし図４に示すように、露光用の開口部１０ａ，２０ａを有する地板１０及び覆板２０と、地板１０に揺動可能に配されたシャッタ羽根３０（３１，３２）と、地板１０に揺動可能に配された絞り羽根４０（４１，４２）と、シャッタ羽根３０及び絞り羽根４０を駆動制御する駆動制御機構としての単一の電磁駆動源５０、駆動レバー６０、捩りバネ７０（保持手段）、バネ８０，９０等を、その基本構成として備えている。
【００１４】
電磁駆動源５０は、図１及び図４に示すように、２極に着磁され回転中心から所定の距離だけ偏倚した位置に駆動力を出力する出力ピン５１ａが一体的に形成されて所定の角度範囲を回動自在に支持されたロータ５１と、励磁用のコイル５２と、円筒状のヨーク５３等により構成された電磁アクチュエータ（所謂、ムービングマグネットモータ）であり、保持部材５４を介して地板１０に固定されている。
【００１５】
駆動レバー６０は、図１及び図４に示すように、ロータ５１の回転中心から偏倚した位置にて地板１０の上面から突出する支軸１１に揺動自在に支持されており、自由端部側に形成された駆動ピン６１、揺動中心（支軸１１）と駆動ピン６１との間に形成された連結孔６２等を有している。そして、連結孔６２にはロータ５１の出力ピン５１ａが挿入され、駆動ピン６１は後述するシャッタ羽根３０の第１連結孔３１ｂ，３２ｂ及び絞り羽根４０の第２連結孔４１ｂ，４２ｂに挿入されている。
【００１６】
シャッタ羽根３０は、図２及び図５に示すように、それぞれ遮光部３１ａ，３２ａ、駆動ピン６１が挿入される第１連結孔３１ｂ，３２ｂ、円弧孔３１ｃ，３２ｃを有する２枚のシャッタ羽根３１，３２からなり、図１及び図５に示すように、地板１０の裏面から突出した支軸１２，１３により揺動自在に支持されている。そして、２枚のシャッタ羽根３１，３２は、お互いに離隔及び近接することにより開口部１０ａを開放及び閉鎖するようになっている。
また、第１連結孔３１ｂ，３２ｂは、図２に示すように、駆動ピン６１が遊動（内縁部と非接触にて移動）し得る第１遊び代Ｗ１をもつように形成されている。さらに、図５及び図７に示すよに、円弧孔３１ｃ，３２ｃの一側部３１ｃ´，３２ｃ´には、支軸１２，１３の周りに配されたバネ８０，９０の一端部８１，９１が掛止されている。
【００１７】
絞り羽根４０は、図３及び図６に示すように、それぞれ絞り縁部４１ａ，４２ａ、駆動ピン６１が挿入される第２連結孔４１ｂ，４２ｂ、円弧孔４１ｃ，４２ｃを有する２枚の絞り羽根４１，４２からなり、図１及び図５に示すように、地板１０の裏面から突出した支軸１２，１３により揺動自在に支持されている。そして、２枚の絞り羽根４１，４２は、お互いに近接することにより開口部１０ａを所定の口径に絞るようになっている。
また、第２連結孔４１ｂ，４２ｂは、図２に示すように、駆動ピン６１が遊動（内縁部と非接触にて移動）し得ると共に第１遊び代Ｗ１よりも大きい第２遊び代Ｗ２をもつように形成されている。さらに、図６及び図７に示すよに、円弧孔４１ｃ，４２ｃの一側部４１ｃ´，４２ｃ´には、支軸１２，１３の周りに配されたバネ８０，９０の他端部８２，９２が掛止されている。
【００１８】
そして、シャッタ羽根３０と絞り羽根４０との間には、バネ８０，９０の付勢力が作用して、支軸１２回りにおいて、シャッタ羽根３１が反時計回りにかつ絞り羽根４１が時計回りに回転するように付勢されている。また、支軸１３回りにおいて、シャッタ羽根３２が時計回りにかつ絞り羽根４２が反時計回りに回転するように付勢されている。
【００１９】
また、シャッタ羽根３０には、開き側へ向けて付勢力を及ぼすバネ１００が作用するように配置されている。すなわち、図１、図４、及び図７に示すように、地板１０の上面から突出する支軸１４の周りにバネ１００が配置され、その一端部１０１が地板１０の掛止部１０ｂに離脱自在に掛止され、他端部１０２が保持部材５４の裏面から突出する掛止突起５４ａに掛止されている。
【００２０】
そして、図４、図５、及び図７に示すように、シャッタ羽根３０が開放位置にある状態では、シャッタ羽根３１の縁部３１ｄは一端部１０１に係合せず離れており、図１１に示すように、絞り羽根４０が絞り位置にあるときに対応する所定位置（中間位置）にシャッタ羽根３０があるときに、シャッタ羽根３１の縁部３１ｄが一端部１０１に係合し、シャッタ羽根３０が所定位置と閉鎖位置との間にあるとき（例えば、図１５に示すように、閉鎖位置にあるとき）に、縁部３１ｄにより一端部１０１が押されて掛止部１０ｂから離脱し、バネ力がチャージされた状態となる。そして、一端部１０１が縁部３１ｄを押し返すことにより、シャッタ羽根３１すなわちシャッタ羽根３０を開き側へ向けて付勢するようになっている。
【００２１】
保持手段としての捩りバネ７０は、図１、図４、図８及び図１２に示すように、地板１０の上面から突出する支軸１５の周り（所定位置）に支持されたコイル部７１と、コイル部７１から伸長して駆動ピン６１を交差して挟むように係合する二つの自由端部７２，７３により形成されている。
【００２２】
そして、捩りバネ７０は、図８に示すように、駆動レバー６０の揺動中心（支軸１１）と支軸１５とを結ぶ直線Ｌから上側に所定距離だけ離れた位置に、その変形エネルギが小さくなる第１の安定位置を有し、又、図４に示すように、直線Ｌから下側に所定距離だけ離れた位置に、その変形エネルギが小さくなる第２の安定位置を有している。
【００２３】
すなわち、捩りバネ７０は、第１の安定位置において、絞り羽根４０を絞り位置にかつシャッタ羽根３０を開放位置から移動した所定位置（中間位置）にある絞り状態に保持するように付勢力を及ぼし、又、第２の安定位置において、絞り羽根４０を待避位置にかつシャッタ羽根３０を開放位置にある状態に保持するように付勢力を及ぼすようになっている。
このように、電磁駆動源５０に通電することなく、シャッタ羽根３０及び絞り羽根４０を所定の位置に保持できるため、消費電力を低減できる。また、電磁駆動源５０に磁性ピン等を設けて得られる磁気的吸引力により保持する場合に比べて、保持力のバラツキが低減され、又、部品点数が削減される。
【００２４】
次に、上記実施形態に係る絞り機構付シャッタ装置を、例えば、デジタルスチルカメラに搭載した場合の動作について、図４ないし図１５の動作図を参照しつつ説明する。尚、この絞り機構付シャッタ装置が搭載されるデジタルスチルカメラには、種々の制御を司る制御手段としての制御部（ＣＰＵ等）、撮像素子としてのＣＣＤ、ＣＣＤから出力された画像信号の記憶処理を行なう画像信号処理回路、測光回路、測距回路、シャッタのレリーズ動作を行なう際のシャッタレリーズスイッチ、メインスイッチ等が設けられている。
【００２５】
先ず、撮影者がメインスイッチをＯＮにすると、制御部から出力される制御信号によりＣＣＤがＯＮ状態になり作動させられる。このとき、シャッタ羽根３０（３１，３２）は開口部１０ａを全開した開放位置に位置し、絞り羽根４０（４１，４２）は開口部１０ａから外れた待避位置に位置している。
すなわち、電磁駆動源５０への非通電状態において、捩りバネ７０は第２の安定位置にあり、図４に示すように、駆動レバー６０を時計回りに回転した位置に保持している。
【００２６】
これにより、駆動ピン６１が、図５に示すようにシャッタ羽根３１，３２の第１連結孔３１ｂ，３２ｂの下側内縁部に係合し、かつ、図６に示すように絞り羽根４１，４２の第２連結孔４１ｂ，４２ｂの下側内縁部に係合して押し付けることで、シャッタ羽根３１，３２の縁部がストッパ１０ｃ，１０ｄに当接し、シャッタ羽根３１，３２が開放位置にかつ絞り羽根４１，４２が待避位置に保持されている。尚、このとき、絞り羽根４１，４２は、シャッタ羽根３１，３２との位置関係で決まるバネ８０，９０の付勢力により待避位置に保持されている。
【００２７】
上記のように、開口部１０ａが開放された状態において、ＣＣＤに被写体光が到達し、ＣＣＤの出力信号に基づいて、制御部は適正な絞り値すなわち絞り羽根４０により絞りを行なうか否かの判断と露出時間（シャッタ秒時）を算出する。そして、絞り羽根４０による絞り動作を行なわない作動モードでは、図４及び図７に示す状態のまま撮影に備えて待機することになる。
【００２８】
この絞りを行なわない待機の状態で、レリーズ動作が行なわれると、制御部からの制御信号によりＣＣＤがリセットされる。続いて、ＣＣＤが電荷の蓄積を開始し、所定時間経過した時点で、電磁駆動源５０に所定レベル以上の通電がなされる。尚、所定レベル以上の通電とは、捩りバネ７０の最大の付勢力（駆動ピン６１が直線Ｌ上にあるとき生じるバネ力）及びバネ１００の付勢力（縁部３１ｄが一端部１０１に係合して変形させた時点から生じるバネ力）に打ち勝って、ロータ５１を反時計回りに回転させるのに十分な電圧を印加するものである。
【００２９】
これにより、図４から図１２に示す状態に向かって、ロータ５１が反時計回りにかつ駆動レバー６０も反時計回りに回転し始める。この際に、駆動ピン６１は、第１連結孔３１ｂ，３２ｂ内の第１遊び代Ｗ１及び第２連結孔４１ｂ，４２ｂ内の第２遊び代Ｗ２を迅速に移動して、図１１に示すように、第１連結孔３１ｂ，３２ｂの上側内縁部にのみ係合し（図９に示すように、第１連結孔３１ｂ，３２ｂの上側内縁部には係合しているが、図１０に示すように第２連結孔４１ｂ，４２ｂの上側内縁部には非接触の状態にある）、シャッタ羽根３１，３２に閉じ動作を開始させる。
【００３０】
これにより、図１３及び図１５に示すように、シャッタ羽根３１，３２は直ちに閉鎖位置へ移動させられ、その縁部がストッパ１０ｅあるいは１０ｆに当接して停止し、又、図１４及び図１５に示すように、絞り羽根４１，４２も、バネ８０，９０により連動して絞り位置へ移動させられ、その縁部がストッパ１０ｇ，１０ｈに当接して停止する。以上により露光動作が終了する。
【００３１】
このとき、駆動ピン６１は、第１連結孔３１ｂ，３２ｂの上側内縁部に係合しつつ、第２連結孔４１ｂ，４２ｂの上側内縁部と非接触の状態を維持して第２遊び代Ｗ２を移動することになる。すなわち、第２遊び代Ｗ２が第１遊び代Ｗ１よりも大きいため、絞り羽根４０が絞り位置に停止した状態で、シャッタ羽根３０のみが絞り位置に対応する所定位置（中間位置）からさらに閉鎖位置に向けて移動できることになる。
また、シャッタ羽根３１の縁部３１ｄが、一端部１０１を押し付けて掛止部１０ｂから離脱させ変形させることにより、バネ１００にはシャッタ羽根３０を開き側に向けて付勢するバネ力がチャージされた状態となっている。
【００３２】
上記一連の動作においては、ＣＣＤが蓄積ＯＮ状態となってからシャッタ羽根３０により開口部１０ａが閉鎖されるまでの間が露出時間となる。続いて、制御部は画像信号処理回路等を介して撮影された画像の信号を取り込む制御を行ない、メモリカード等の記憶部に記憶させる。これにより、１回の撮影動作が完了する。
【００３３】
その後、制御部から出力される信号により、電磁駆動源５０へ所定レベル以上の逆向きの通電がなされると、バネ１００の付勢力も作用して、図１２から図４に示す状態に向けて、ロータ５１が時計回りにかつ駆動レバー６０が時計回りに回転し始める。尚、所定レベル以上の通電とは、バネ１００の付勢力は補助力として作用するため、捩りバネ７０の最大の付勢力に打ち勝ってロータ５１を時計回りに回転させるのに十分な電圧を印加するものである。
【００３４】
そして、駆動ピン６１は、第１連結孔３１ｂ，３２ｂの上側内縁部から離脱し、第１連結孔３１ｂ，３２ｂ内の第１遊び代Ｗ１及び第２連結孔４１ｂ，４２ｂ内の第２遊び代Ｗ２を迅速に移動して、第１連結孔３１ｂ，３２ｂの下側内縁部に係合し続いて第２連結孔４１ｂ，４２ｂの下側内縁部に係合し、シャッタ羽根３１，３２に開き動作を開始させ、又、絞り羽根４１，４２に絞りの解除動作を開始させる。
これにより、シャッタ羽根３１，３２が直ちに開放位置へ移動させられ、その縁部がストッパ１０ｃ，１０ｄに当接して停止し、又、絞り羽根４１，４２が待避位置へ移動させられ、第２の安定位置に至った捩りバネ７０の付勢力により保持される。
【００３５】
その後、電磁駆動源５０への通電が断たれても、捩りバネ７０の作用により、シャッタ羽根３０及び絞り羽根４０は、それぞれ開放位置及び待避位置に保持されることになる。すなわち、電磁駆動源５０への通電なしにシャッタ羽根３０及び絞り羽根４０を保持することで、消費電力を低減することができる。
【００３６】
一方、被写体光に曝されたＣＣＤの出力信号に基づいて、制御部が絞り羽根４０により絞りを行なうと判断した場合の作動モードでは、先ず、制御部から出力される信号により、電磁駆動源５０に所定レベルの通電がなされる。すると、ロータ５１すなわち駆動レバー６０が、捩りバネ７０の最大の付勢力に打ち勝って、図４に示す第２の安定位置から図８に示す第１の安定位置に向けて反時計回りに回転する。
【００３７】
と同時に、駆動レバー６０の駆動ピン６１が、第１連結孔３１ｂ，３２ｂの上側内縁部に係合して、図９に示すように、シャッタ羽根３１，３２を所定位置（開放位置と閉鎖位置との間に位置する中間位置）に移動させると共に、その縁部３１ｄがバネ１００の一端部１０１に係合する。
また、絞り羽根４１，４２は、バネ８０，９０の付勢力によりシャッタ羽根３１，３２の動作に連動して、図１０に示すように、絞り位置に至ると共にその縁部がストッパ１０ｇ，１０ｈに当接して停止する。
この際に、バネ８０，９０の付勢力、捩りバネ７０の付勢力等の関係により、シャッタ羽根３０及び絞り羽根４０は、バウンド現象が抑制ないしは防止されて、迅速に所定の位置に位置決めされる。
【００３８】
そして、電磁駆動源５０への通電が断たれると、捩りバネ７０が図８に示す第１の安定位置に留まろうとする力関係により、図１１に示すように、シャッタ羽根３１，３２が所定位置（中間位置）に、かつ、絞り羽根４１，４２が絞り位置に位置付けられて保持され、撮影に備えて待機することになる。
【００３９】
このように、電磁駆動源５０への通電が断たれても、捩りバネ７０の作用により、シャッタ羽根３０及び絞り羽根４０は、それぞれ所定位置（中間位置）及び絞り位置に保持されるため、通電により保持する場合に比べて消費電力を低減することができる。
【００４０】
この待機状態で、レリーズ動作が行なわれると、制御部から出力される制御信号によりＣＣＤがリセットされる。続いて、ＣＣＤが電荷の蓄積を開始し、所定時間経過した時点で、ロータ５１すなわち駆動レバー６０が徐々に増加するバネ１００の付勢力に打ち勝ってさらに反時計回りに回転するように、電磁駆動源５０に所定レベル以上の通電がなされる。
これにより、図８から図１２に示す状態に向けて、ロータ５１が反時計回りに回転し、シャッタ羽根３１，３２が閉鎖位置に移動させられ、その縁部がストッパ１０ｅ又は１０ｆに当接し停止する。以上により露光動作が終了する。
【００４１】
このとき、駆動ピン６１は、図９及び図１３に示すように、第１連結孔３１ｂ，３２ｂの上側内縁部を押しつつ移動するが、図１０及び図１４に示すように、第２連結孔４１ｂ，４２ｂの上側内縁部とは非接触のままであり、それ故に、絞り羽根４１，４２は、図１４に示すように、その縁部がストッパ１０ｇ，１０ｈに当接して絞り位置に保持された状態を維持する。
さらに、図１３及び図１５に示すように、縁部３１ｄが一端部１０１を押し付けて変形させることにより、バネ１００にはバネ力がチャージされる。
【００４２】
上記一連の動作においては、ＣＣＤが蓄積ＯＮ状態となってからシャッタ羽根３０により開口部１０ａが閉鎖されるまでの間が露出時間となる。続いて、制御部は画像信号処理回路等を介して撮影された画像の信号を取り込む制御を行ない、メモリカード等の記憶部に記憶させる。これにより、１回の撮影が完了する。
【００４３】
その後、制御部から出力される信号により、電磁駆動源５０への通電が断たれると、バネ１００の付勢力により、シャッタ羽根３１，３２は、図９及び図１１に示す所定位置（中間位置）に戻され、捩りバネ７０が第１の安定位置に留まろうとする力関係により、再び絞り状態にて待機することになる。
一方、撮影後に絞り状態を解除する場合は、電磁駆動源５０に逆向きでかつ所定レベル以上の通電がなされることで、シャッタ羽根３１，３２及び絞り羽根４１，４２は、それぞれ開放位置及び待機位置に戻されることになる。
【００４４】
図１６ないし図１９は、本発明に係る絞り機構付シャッタ装置の他の実施形態を示すものであり、捩りバネ７０及びバネ１００を変更した以外は前述の実施形態と同一であり、それ故に同一の構成については同一の符号を付してその説明を省略する。尚、図１７はシャッタ羽根３０及び絞り羽根４０がそれぞれ開放位置及び待避位置にある状態を示し、図１８はシャッタ羽根３０及び絞り羽根４０がそれぞれ所定位置（中間位置）及び絞り位置にある状態を示し、図１９は絞り羽根４０が絞り位置に保持された状態でシャッタ羽根３０が閉鎖位置にある状態を示している。
【００４５】
この実施形態においては、保持手段としての捩りバネ１７０と、シャッタ羽根３０を開き側へ付勢するバネ２００とが設けられている。
捩りバネ１７０は、図１６及び図１７に示すように、地板１０の上面から突出する支軸１５の周り（所定位置）に遊びをもって支持されたコイル部１７１と、コイル部１７１から伸長して所定位置に掛止された二つの自由端部１７２，１７３とを有している。
すなわち、コイル部１７１は、支軸１５の外径よりも大きい径をなし、地板１０の上面から突出する掛止突起１０ｊに一方の自由端部１７２が掛止され、保持部材５４の裏面から突出する掛止突起５４ｂに他方の自由端部１７３が掛止されている。そして、コイル部１７１は、駆動ピン６１（外縁部６１ａ）に係合するように付勢されると共に、その係合方向において、支軸１５との間の遊び代の範囲内で移動自在となっている。
【００４６】
捩りバネ１７０は、図１８に示すように、駆動レバー６０の揺動中心（支軸１１）と支軸１５とを結ぶ直線Ｌから上側に所定距離だけ離れた位置に駆動ピン６１が位置するとき、その変形エネルギが小さくなる第１の安定位置を有し、又、図１７に示すように、直線Ｌから下側に所定距離だけ離れた位置に駆動ピン６１が位置するとき、その変形エネルギが小さくなる第２の安定位置を有している。
【００４７】
すなわち、捩りバネ１７０は、第１の安定位置において、絞り羽根４０を絞り位置にかつシャッタ羽根３０を開放位置から移動した所定位置（中間位置）にある絞り状態に保持するように付勢力を及ぼし、又、第２の安定位置において、絞り羽根４０を待避位置にかつシャッタ羽根３０を開放位置にある状態に保持するように付勢力を及ぼすようになっている。
【００４８】
このように、電磁駆動源５０に通電することなく、シャッタ羽根３０及び絞り羽根４０を所定の位置に保持できるため、消費電力を低減できる。また、電磁駆動源５０に磁性ピン等を設けて得られる磁気的吸引力により保持する場合に比べて、保持力のバラツキが低減され、又、部品点数が削減される。
さらに、この捩りバネ１７０は、コイル部１７１が直接移動するため、前述の捩りバネ７０に比べて、最も不安定な状態での揺動中心（支軸１１）と支持中心（支軸１５）との２点間距離をより短く設定することができ、装置の集約化によるより一層の小型化が行なえる。
【００４９】
バネ２００は、シャッタ羽根３０を開き側へ向けて付勢するように配置されている。すなわち、図１６及び図１７に示すように、地板１０の上面から突出する支軸１４の周りにバネ２００が配置され、その一端部２０１が地板１０の上面から突出する掛止突起１０ｊに離脱自在に掛止され、他端部２０２が保持部材５４の裏面から突出する掛止突起５４ａに掛止されている。
【００５０】
そして、図１７に示すように、シャッタ羽根３０及び絞り羽根４０が開放位置及び待避位置にある状態では、駆動ピン６１は一端部２０１に係合せず離れており、図１８に示すように、シャッタ羽根３０及び絞り羽根４０が所定位置（中間位置）及び絞り位置にあるときに、駆動ピン６１が一端部２０１に係合し、シャッタ羽根３０が所定位置と閉鎖位置との間にあるとき（例えば、図１９に示すように、閉鎖位置にあるとき）に、駆動ピン６１により一端部２０１が押されて掛止突起１０ｊから離脱し、バネ力がチャージされた状態となる。そして、一端部２０１が駆動ピン６１を押し返すことにより、シャッタ羽根３０を開き側へ向けて付勢するようになっている。
尚、上記捩りバネ１７０及びバネ２００の作用、並びにシャッタ羽根３０及び絞り羽根４０の動作については、前述の実施形態と同様であるため、ここでの説明は省略する。
【００５１】
上記実施形態においては、絞り羽根４０を絞り位置にかつシャッタ羽根３０を所定位置に保持する保持手段として、捩りバネ７０，１７０を採用したが、これに限定されるものではなく、その他のバネであってもよい。
また、上記実施形態においては、捩りバネ７０，１７０に第１の安定位置及び第２安定位置を持たせ、一つのバネで、シャッタ羽根３０及び絞り羽根４０を、所定位置及び絞り位置に又開放位置及び待避位置に保持するように構成したが、別々のバネを用いて保持する構成を採用することもできる。
さらに、上記実施形態においては、電磁駆動源として、ロータ５１を備えた回動型の電磁アクチュエータを採用したが、これに限定されるものではなく、可動子が直線的に往復動する電磁アクチュエータあるいはその他の電磁アクチュエータを採用することもできる。
【００５２】
【発明の効果】
以上述べたように、本発明の絞り機構付シャッタ装置によれば、シャッタ羽根及び絞り羽根を駆動制御する駆動制御機構を、単一の電磁駆動源と、電磁駆動源とシャッタ羽根及び絞り羽根との間に介在して駆動力を伝えると共に電磁駆動源の一方向への回転により開口部の全開状態から絞り状態を経て全閉状態に至らせる揺動自在な駆動レバーと、シャッタ羽根に設けられた孔にその一端が掛止されかつ絞り羽根に設けられた孔にその他端が掛止されてシャッタ羽根及び絞り羽根を連動させる連動用のバネと、絞り動作の際に絞り羽根を絞り位置にかつシャッタ羽根を開放位置から移動した所定位置に位置付けるべく駆動レバーを保持する付勢力を及ぼす保持用のバネにより構成し、絞り羽根を２枚の絞り羽根により、シャッタ羽根を２枚のシャッタ羽根により構成したことにより、部品点数の削減、軽量化等を行ないつつ、特に、シャッタ羽根及び絞り羽根が開口部から待避する際のスペースを狭くでき、装置の小型化を行なうことができる。
【００５３】
特に、シャッタ羽根及び絞り羽根と電磁駆動源との間に駆動レバーを介在させることにより、電磁駆動源の駆動量（例えば作動角度）を増幅できるのは勿論のこと、電磁駆動源の出力ピンの移動方向と駆動レバーの駆動ピンの移動方向とを、露光用の開口部中心に向けた配置とすることができ、開口部周りでの部品の集約化による装置の小型化を行なうことができる。
【００５４】
また、シャッタ羽根の第１連結孔と絞り羽根の第２連結孔とに、駆動ピンが遊動し得る第１遊び代及び第２遊び代を設け、後者を前者よりも大きく設定することにより、電磁駆動源の起動を加速度的に行なわせることができ、これにより、露光動作の高速化、さらには助走区間の短縮化を行なうことができる。また、駆動ピンによりシャッタ羽根と絞り羽根とが連動して駆動される構成において、シャッタ羽根に完全な閉じ動作を行なわせつつ絞り羽根を絞り位置に保持する機能を容易に形成することができる。
さらに、保持手段としてバネ（捩りバネ）を採用し、このバネの付勢力により、シャッタ羽根及び絞り羽根を、所定位置及び絞り位置にあるいは開放位置及び待避位置に保持できるようにすることで、装置の簡略化、軽量化、低コスト化等を行ないつつ、消費電力を低減することができる。
【図面の簡単な説明】
【図１】本発明に係る絞り機構付シャッタ装置の一実施形態を示す断面図である。
【図２】シャッタ羽根を示す平面図である。
【図３】絞り羽根を示す平面図である。
【図４】絞り機構付シャッタ装置の外観を示しかつ開口部が開放された状態を示す平面図である。
【図５】シャッタ羽根が開放位置にある状態を示す平面図である。
【図６】絞り羽根が待避位置にある状態を示す平面図である。
【図７】シャッタ羽根が開放位置にかつ絞り羽根が待避位置にある状態を示す平面図である。
【図８】絞り機構付シャッタ装置の外観を示しかつ開口部が所定の口径に絞られた状態を示す平面図である。
【図９】シャッタ羽根が開放位置から移動して所定位置（中間位置）にある状態を示す平面図である。
【図１０】絞り羽根が絞り位置にある状態を示す平面図である。
【図１１】シャッタ羽根が所定位置（中間位置）にかつ絞り羽根が絞り位置にある状態を示す平面図である。
【図１２】絞り機構付シャッタ装置の外観を示しかつ開口部が閉鎖された状態を示す平面図である。
【図１３】シャッタ羽根が閉鎖位置にある状態を示す平面図である。
【図１４】シャッタ羽根が閉鎖位置にあるときの絞り羽根の状態を示す平面図である。
【図１５】シャッタ羽根が閉鎖位置にかつ絞り羽根が絞り位置にある状態を示す平面図である。
【図１６】本発明に係る絞り機構付シャッタ装置の他の実施形態を示す断面図である。
【図１７】絞り機構付シャッタ装置の外観を示しかつ開口部が開放された状態を示す平面図である。
【図１８】絞り機構付シャッタ装置の外観を示しかつ開口部が所定の口径に絞られた状態を示す平面図である。
【図１９】絞り機構付シャッタ装置の外観を示しかつ開口部が閉鎖された状態を示す平面図である。
【符号の説明】
１０ａ，２０ａ  開口部
３０（３１，３２）  シャッタ羽根
３１ｂ，３２ｂ  第１連結孔
４０（４１，４２）  絞り羽根
４１ｂ，４２ｂ  第２連結孔
５０  電磁アクチュエータ（電磁駆動源）
５１  ロータ
５１ａ  出力ピン
６０  駆動レバー
６１  駆動ピン
６２  連結孔
７０  捩りバネ（保持用のバネ）
７１  コイル部
７２，７２  自由端部
８０，９０  バネ（連動用のバネ）
１７０  捩りバネ（保持用のバネ）
１７１  コイル部
１７２，１７２  自由端部
Ｗ１  第１遊び代
Ｗ２  第２遊び代
【図１】
0004689036.tif 000002
【図２】
0004689036.tif 000003
【図３】
0004689036.tif 000004
【図４】
0004689036.tif 000005
【図５】
0004689036.tif 000006
【図６】
0004689036.tif 000007
【図７】
0004689036.tif 000008
【図８】
0004689036.tif 000009
【図９】
0004689036.tif 000010
【図１０】
0004689036.tif 000011
【図１１】
0004689036.tif 000012
【図１２】
0004689036.tif 000013
【図１３】
0004689036.tif 000014
【図１４】
0004689036.tif 000015
【図１５】
0004689036.tif 000016
【図１６】
0004689036.tif 000017
【図１７】
0004689036.tif 000018
【図１８】
0004689036.tif 000019
【図１９】
0004689036.tif 000020